(57)【特許請求の範囲】
【請求項１】
隣接する第一パネルと第二パネルの間に形成される縦目地構造であって、
前記第一パネルは、前記第二パネルに対向する側端面に、上下方向を長手方向とする第一突条部を有し、
前記第二パネルは、前記第一パネルに対向する側端面に、上下方向を長手方向とする第二突条部を有し、
前記第一パネルと前記第二パネルの間には、
前記第一突条部と前記第二突条部の間のスペースに配されるパッキンと、
前記第一突条部と前記第二突条部の屋外側に配されるバックアップ材と、
前記バックアップ材よりも屋外側のスペースを埋めるシーリング材とを備え、
前記パッキンは、前記第一突条部と前記第二突条部の間のスペースのうち屋内側の領域に位置し、前記パッキンと前記バックアップ材の間に、排水用の隙間が形成されていることを特徴とする縦目地構造。
【請求項２】
隣接する第一パネルと第二パネルの間に形成される縦目地構造であって、
前記第一パネルは、前記第二パネルに対向する側端面に、上下方向を長手方向とする第一突条部を有し、
前記第二パネルは、前記第一パネルに対向する側端面に、上下方向を長手方向とする第二突条部を有し、
前記第一パネルと前記第二パネルの間には、
前記第一突条部と前記第二突条部の間のスペースに配されるパッキンと、
前記第一突条部と前記第二突条部の屋外側に配されるバックアップ材と、
前記バックアップ材よりも屋外側のスペースを埋めるシーリング材とを備え、
前記第一突条部と前記第二突条部のうち少なくとも一方は、その屋外側面に、前記バックアップ材に当たる凹凸面を有し、
前記凹凸面のうちの凹んだ部分と前記バックアップ材との間に、排水用の隙間が形成されていることを特徴とする縦目地構造。
【請求項３】
隣接する第一パネルと第二パネルの間に形成される縦目地構造であって、
前記第一パネルは、前記第二パネルに対向する側端面に、上下方向を長手方向とする第一突条部を有し、
前記第二パネルは、前記第一パネルに対向する側端面に、上下方向を長手方向とする第二突条部を有し、
前記第一パネルと前記第二パネルの間には、
前記第一突条部と前記第二突条部の間のスペースに配されるパッキンと、
前記第一突条部と前記第二突条部の屋外側に配されるバックアップ材と、
前記バックアップ材よりも屋外側のスペースを埋めるシーリング材とを備え、
前記バックアップ材は、その屋内側面のうち、前記第一突条部に当たる部分と前記第二突条部に当たる部分のうち少なくとも一方に、凹凸面を有し、
前記第一突条部と前記第二突条部のうちの少なくとも一方と、前記凹凸面の凹んだ部分との間に、排水用の隙間が形成されていることを特徴とする縦目地構造。
【請求項４】
隣接する第一パネルと第二パネルの間に形成される縦目地構造であって、
前記第一パネルは、前記第二パネルに対向する側端面に、上下方向を長手方向とする第一突条部を有し、
前記第二パネルは、前記第一パネルに対向する側端面に、上下方向を長手方向とする第二突条部を有し、
前記第一パネルと前記第二パネルの間には、
前記第一突条部と前記第二突条部の間のスペースに配されるパッキンと、
前記第一突条部と前記第二突条部の屋外側に配されるバックアップ材と、
前記バックアップ材よりも屋外側のスペースを埋めるシーリング材とを備え、
前記第一突条部と前記第二突条部のうち少なくとも一方と前記バックアップ材との間に、排水用の隙間を形成するためのスペーサーが位置することを特徴とする縦目地構造。
【請求項５】
上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、
前記第一突条部と前記第二突条部の屋外側にバックアップ材を配し、
前記バックアップ材の屋外側のスペースにシーリング材を充填する縦目地の施工方法であって、
前記パッキンは、
前記第一突条部の先端面の屋内側の部分に予め接着された第一パッキンと、前記第二突条部の先端面の屋内側の部分に予め接着された第二パッキンとを組み合せたものであるか、前記第一突条部または前記第二突条部の先端面の屋内側の部分に予め接着されたものであり、
前記第一突条部と前記第二突条部の間のスペースのうち屋内側の領域に前記パッキンが位置することで、前記バックアップ材と前記パッキンとの間に排水用の隙間が形成されることを特徴とする縦目地の施工方法。
【請求項６】
上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、
前記第一突条部と前記第二突条部の屋外側にバックアップ材を配し、
前記バックアップ材の屋外側のスペースにシーリング材を充填する縦目地の施工方法であって、
前記第一突条部と前記第二突条部のうち少なくとも一方は、その屋外側面に凹凸面を有するものであり、
前記凹凸面に前記バックアップ材を当てて配することで、前記凹凸面の凹んだ部分と前記バックアップ材との間に排水用の隙間が形成されることを特徴とする縦目地の施工方法。
【請求項７】
上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、
前記第一突条部と前記第二突条部の屋外側にバックアップ材を配し、
前記バックアップ材の屋外側のスペースにシーリング材を充填する縦目地の施工方法であって、
前記バックアップ材は、その屋内側面のうち、前記第一突条部に当たる部分と前記第二突条部に当たる部分のうち少なくとも一方に、凹凸面を有するものであり、
前記第一突条部と前記第二突条部に前記バックアップ材を当てて配することで、前記第一突条部と前記第二突条部のうちの少なくとも一方と前記凹凸面の凹んだ部分との間に、排水用の隙間が形成されることを特徴とする縦目地の施工方法。
【請求項８】
上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、
前記第一突条部と前記第二突条部の屋外側にバックアップ材を配し、
前記バックアップ材の屋外側のスペースにシーリング材を充填する縦目地の施工方法であって、
前記第一突条部と前記第二突条部のうち少なくとも一方と前記バックアップ材との間にスペーサーを配することで、前記第一突条部と前記第二突条部のうち少なくとも一方と前記バックアップ材との間に排水用の隙間が形成されることを特徴とする縦目地の施工方法。
【発明の詳細な説明】
【技術分野】
【０００１】
本発明は、縦目地構造及び縦目地の施工方法に関し、詳しくは、上下方向を長手方向とする突条部を側端面に有する２枚のパネルの間に形成される縦目地構造及び縦目地の施工方法に関する。
【背景技術】
【０００２】
特許文献１には、上下方向を長手方向とする突条部を側端面に有する２枚のパネルの間に、水密パッキンと、バックアップ材と、シーリング材を配した目地構造が記載されている。
【０００３】
この目地構造では、一方のパネルの突条部と他方のパネルの突条部の間のスペースに水密パッキンが配され、両突条部の屋外側面にバックアップ材が配され、バックアップ材と水密パッキンとは、隙間なく接している。さらに、バックアップ材の屋外側のスペースには、シーリング材が充填されている。
【先行技術文献】
【特許文献】
【０００４】
【特許文献１】特開２０１１−１４９２４５号公報
【発明の概要】
【発明が解決しようとする課題】
【０００５】
特許文献１に記載の目地構造では、シーリング材とパネルとの間から雨水が浸入した場合に、この雨水を水密パッキンで受け止めて、この雨水がパネルの屋内側へと浸入することを抑制することができる。しかし、この目地構造では、水密パッキンで浸入を止めた雨水を円滑に排水することが困難であった。
【０００６】
そこで、本発明は、浸入した雨水を円滑に排水することができる縦目地構造及び縦目地の施工方法を提案することを課題とする。
【課題を解決するための手段】
【０００７】
上記課題を解決するための本発明の一実施形態の縦目地構造は、隣接する第一パネルと第二パネルの間に形成される縦目地構造であって、前記第一パネルは、前記第二パネルに対向する側端面に、上下方向を長手方向とする第一突条部を有し、前記第二パネルは、前記第一パネルに対向する側端面に、上下方向を長手方向とする第二突条部を有し、前記第一パネルと前記第二パネルの間には、前記第一突条部と前記第二突条部の間のスペースに配されるパッキンと、前記第一突条部と前記第二突条部の屋外側に配されるバックアップ材と、前記バックアップ材よりも屋外側のスペースを埋めるシーリング材とを備え、前記パッキンは、前記第一突条部と前記第二突条部の間のスペースのうち屋内側の領域に位置し、前記パッキンと前記バックアップ材の間に、排水用の隙間が形成されていることを特徴とする。
また、上記課題を解決するための本発明の他の一実施形態の縦目地構造は、隣接する第一パネルと第二パネルの間に形成される縦目地構造であって、前記第一パネルは、前記第二パネルに対向する側端面に、上下方向を長手方向とする第一突条部を有し、前記第二パネルは、前記第一パネルに対向する側端面に、上下方向を長手方向とする第二突条部を有し、前記第一パネルと前記第二パネルの間には、前記第一突条部と前記第二突条部の間のスペースに配されるパッキンと、前記第一突条部と前記第二突条部の屋外側に配されるバックアップ材と、前記バックアップ材よりも屋外側のスペースを埋めるシーリング材とを備え、前記第一突条部と前記第二突条部のうち少なくとも一方は、その屋外側面に、前記バックアップ材に当たる凹凸面を有し、前記凹凸面のうちの凹んだ部分と前記バックアップ材との間に、排水用の隙間が形成されていることを特徴とする。
また、上記課題を解決するための本発明の更に他の一実施形態の縦目地構造は、隣接する第一パネルと第二パネルの間に形成される縦目地構造であって、前記第一パネルは、前記第二パネルに対向する側端面に、上下方向を長手方向とする第一突条部を有し、前記第二パネルは、前記第一パネルに対向する側端面に、上下方向を長手方向とする第二突条部を有し、前記第一パネルと前記第二パネルの間には、前記第一突条部と前記第二突条部の間のスペースに配されるパッキンと、前記第一突条部と前記第二突条部の屋外側に配されるバックアップ材と、前記バックアップ材よりも屋外側のスペースを埋めるシーリング材とを備え、前記バックアップ材は、その屋内側面のうち、前記第一突条部に当たる部分と前記第二突条部に当たる部分のうち少なくとも一方に、凹凸面を有し、前記第一突条部と前記第二突条部のうちの少なくとも一方と、前記凹凸面の凹んだ部分との間に、排水用の隙間が形成されていることを特徴とする。
また、上記課題を解決するための本発明の更に他の一実施形態の縦目地構造は、隣接する第一パネルと第二パネルの間に形成される縦目地構造であって、前記第一パネルは、前記第二パネルに対向する側端面に、上下方向を長手方向とする第一突条部を有し、前記第二パネルは、前記第一パネルに対向する側端面に、上下方向を長手方向とする第二突条部を有し、前記第一パネルと前記第二パネルの間には、前記第一突条部と前記第二突条部の間のスペースに配されるパッキンと、前記第一突条部と前記第二突条部の屋外側に配されるバックアップ材と、前記バックアップ材よりも屋外側のスペースを埋めるシーリング材とを備え、前記第一突条部と前記第二突条部のうち少なくとも一方と前記バックアップ材との間に、排水用の隙間を形成するためのスペーサーが位置することを特徴とする。
【０００８】
上記課題を解決するための本発明の一実施形態の縦目地の施工方法は、上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、前記第一突条部と前記第二突条部の屋外側にバックアップ材を配し、前記バックアップ材の屋外側のスペースにシーリング材を充填する縦目地の施工方法であって、前記パッキンは、前記第一突条部の先端面の屋内側の部分に予め接着された第一パッキンと、前記第二突条部の先端面の屋内側の部分に予め接着された第二パッキンとを組み合せたものであるか、前記第一突条部または前記第二突条部の先端面の屋内側の部分に予め接着されたものであり、前記第一突条部と前記第二突条部の間のスペースのうち屋内側の領域に前記パッキンが位置することで、前記バックアップ材と前記パッキンとの間に排水用の隙間が形成されることを特徴とする。
また、上記課題を解決するための本発明の他の一実施形態の縦目地の施工方法は、上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、前記第一突条部と前記第二突条部の屋外側にバックアップ材を配し、前記バックアップ材の屋外側のスペースにシーリング材を充填する縦目地の施工方法であって、前記第一突条部と前記第二突条部のうち少なくとも一方は、その屋外側面に凹凸面を有するものであり、前記凹凸面に前記バックアップ材を当てて配することで、前記凹凸面の凹んだ部分と前記バックアップ材との間に排水用の隙間が形成されることを特徴とする。
また、上記課題を解決するための本発明の更に他の一実施形態の縦目地の施工方法は、上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、前記第一突条部と前記第二突条部の屋外側にバックアップ材を配し、前記バックアップ材の屋外側のスペースにシーリング材を充填する縦目地の施工方法であって、前記バックアップ材は、その屋内側面のうち、前記第一突条部に当たる部分と前記第二突条部に当たる部分のうち少なくとも一方に、凹凸面を有するものであり、前記第一突条部と前記第二突条部に前記バックアップ材を当てて配することで、前記第一突条部と前記第二突条部のうちの少なくとも一方と前記凹凸面の凹んだ部分との間に、排水用の隙間が形成されることを特徴とする。
また、上記課題を解決するための本発明の更に他の一実施形態の縦目地の施工方法は、上下方向を長手方向とする第一突条部を側端面に有する第一パネルと、上下方向を長手方向とする第二突条部を側端面に有する第二パネルとを、前記第一突条部と前記第二突条部とがパッキンを介して突き合うように配置し、前記第一突条部と前記第二突条部の屋外側にバックアップ材を配し、前記バックアップ材の屋外側のスペースにシーリング材を充填する縦目地の施工方法であって、前記第一突条部と前記第二突条部のうち少なくとも一方と前記バックアップ材との間にスペーサーを配することで、前記第一突条部と前記第二突条部のうち少なくとも一方と前記バックアップ材との間に排水用の隙間が形成されることを特徴とする。
【発明の効果】
【０００９】
本発明は、縦目地に浸入した雨水を円滑に排水することができるという効果を奏する。
【図面の簡単な説明】
【００１０】
【図１】本発明の第一実施形態の縦目地構造を示す平断面図である。
【図２】同上の縦目地構造が側部に形成されるパネルの一例を示す図であり、図２Ａは全体の斜視図であり、図２Ｂは図２Ａのａ―ａ線における側断面図であり、図２Ｃは図２Ａのｂ―ｂ線における平断面図である。
【図３】図２のパネル２枚の間に形成される縦目地構造を示す平断面図である。
【図４】本発明の第二実施形態の縦目地構造を示す平断面図である。
【図５】本発明の第三実施形態の縦目地構造を示す平断面図である。
【図６】本発明の第四実施形態の縦目地構造を示す平断面図である。
【図７】本発明の第五実施形態の縦目地構造を示す平断面図である。
【図８】本発明の第六実施形態の縦目地構造を示す平断面図である。
【図９】本発明の第七実施形態の縦目地構造を示す平断面図である。
【発明を実施するための形態】
【００１１】
図１に示す本発明の第一実施形態の縦目地構造は、隣接する２枚のパネル１の間に形成される縦目地の構造である。本実施形態の縦目地構造は、例えば高層ビル等の外壁を構成する複数枚のパネル１間の縦目地の構造として用いられる。以下では、２枚のパネル１が並ぶ方向を左右方向とし、パネル１の厚み方向を屋内外方向として、各構成について説明する。図１では、矢印Ｘ１で示す方向が右方向であり、その反対方向が左方向であり、矢印Ｙ１で示す方向が屋外側であり、その反対方向が屋内側である。また、図２Ａ〜図２Ｃでは、矢印Ｚ１で示す方向が上方向であり、その反対方向が下方向である。
【００１２】
図２Ａ〜図２Ｃには、パネル１の一例を示している。パネル１は、本実施形態では、二枚の金属外皮１０，１１の間に、芯材１２、補強材１３、耐火材１４及び連結部材１５を設けて、一体化したサンドイッチパネルである。
【００１３】
金属外皮１０，１１は、亜鉛めっき鋼板、塗装鋼板、ガルバリウム鋼板（登録商標）、エスジーエル（登録商標）鋼板、ステンレス鋼板、アルミニウム板、チタン板などの金属板を、ロール成形加工などで所望の形状に成形したものである。
【００１４】
パネル１の左右の側端面にはそれぞれ、屋外側に位置する金属外皮１０の左右の端部を折り曲げて形成した突条部２が設けられている。各突条部２は、パネル１の左右の側端面に上下方向に亘って位置する。各突条部２は、平断面形状が略Ｕ字状であり、中空である。突条部２は、屋外側面２０と、屋内側面２１と、左右方向外側を向く先端面２２とを有する。
【００１５】
また、パネル１の左右の側端面には、屋内側に位置する金属外皮１１の左右の端部を折り曲げて形成した凸条部２３が設けられている。各凸条部２３は、平断面形状が略Ｕ字状であり、中空である。突条部２と凸条部２３は屋内外方向に離れて位置し、パネル１の左右の側端面には、突条部２と凸条部２３との間に平坦部２４が位置する。
【００１６】
パネル１の上下の端面には、屋外側に位置する金属外皮１０の上下の端部を折り曲げて形成した凸条部２５が設けられている。各凸条部２５は、側断面形状が略Ｕ字状であり、中空である。また、パネル１の上下の端面には、屋内側に位置する金属外皮１１の上下の端部をＬ字状に折り曲げて形成した折り曲げ部２６が設けられている。各折り曲げ部２６は、耐火材１４に接している。
【００１７】
芯材１２は、ロックウールやグラスウールなどの繊維状無機材料を細長いブロック状（角棒状）に固めて形成した複数本のブロック体１２０で構成されている。
【００１８】
補強材１３は、金属板を平断面略Ｕ字状に折り曲げて形成した細長い部材である。パネル１は、補強材１３を複数本備える。補強材１３の数は、ブロック体１２０の数と同じである。各補強材１３は、各ブロック体１２０の屋外側の面または屋内側の面に固着させて用いられる。
【００１９】
耐火材１４は、芯材１２よりも高い耐火性能を有するものであって、例えば、硫酸カルシウム２水和物を主成分とする石膏や珪酸カルシウムなどを用いて矩形板状に形成されたものである。なお、耐火材１４は、市販の石膏ボードを所定の大きさに切断して形成したものであってもよい。耐火材１４は、正面視にて、芯材１２の周囲を囲むように、周方向の全長に亘って設けられている。
【００２０】
連結部材１５は、金属板を平断面略Ｌ字状に折り曲げ加工することにより形成された短寸部材（ピース状部材）である。連結部材１５は、芯材１２とその側方に位置する耐火材１４との間に設置されるものである。連結部材１５には、図３に示すように、金属外皮１０のうち突条部２よりも先端側の部位に打ち込まれたねじ等の固定具１６が打ち付けられ、且つ金属外皮１１のうち凸条部２３よりも先端側の部位に打ち込まれたねじ等の固定具１６が打ち付けられる。これにより、連結部材１５は、金属外皮１０と金属外皮１１とを強固に一体化させる。
【００２１】
芯材１２は、金属外皮１０，１１に直接または補強材１３を介して接着されている。また、耐火材１４は、金属外皮１０，１１に接着されている。
【００２２】
図１に示す本実施形態の縦目地構造は、隣接する２枚のパネル１の間に、パッキン３と、バックアップ材４と、シーリング材５とを備える。隣接する２枚のパネル１は、左側に位置する第一パネル１０１と、右側に位置する第二パネル１０２で構成される。以下では、第一パネル１０１が備える突条部２を、第一突条部２０１と記載し、第二パネル１０２が備える突条部２を、第二突条部２０２と記載する。
【００２３】
本実施形態では、パッキン３は、第一突条部２０１と第二突条部２０２の間のスペースのうち屋内側の領域に位置するように配されている。そのため、パッキン３の屋外側面は、突条部２０１，２０２の屋外側面２０よりも屋内側に位置する。パッキン３は、前記領域を上下方向に亘って埋める。パッキン３は、ゴム製や樹脂製である。
【００２４】
本実施形態では、パッキン３は、第一突条部２０１の先端面２２のうちの屋内側の部分に予め接着された第一パッキン３０と、第二突条部２０２の先端面２２のうちの屋内側の部分に予め接着された第二パッキン３１とを組み合わせたものである。なお、パッキン３は、第一突条部２０１と第二突条部２０２のいずれか一方の先端面２２の屋内側の部分に予め接着された１つのパッキンで構成されるものであってもよい。
【００２５】
バックアップ材４は、隣接する２枚のパネル１０１，１０２の間において、第一突条部２０１と第二突条部２０２の屋外側に配される。詳しくは、バックアップ材４は、第一突条部２０１の屋外側面２０と、第二突条部２０２の屋外側面２０に架け渡して配される。バックアップ材４は、その屋内側面４０のうちの左右の端部が、第一突条部２０１の屋外側面２０と、第二突条部２０２の屋外側面２０にそれぞれ、上下方向に亘って当たる。バックアップ材４は、その左右幅が、第一パネル１０１の右側端面のうちの第一突条部２０１よりも屋外側の部分と、第二パネル１０２の左側端面のうちの第二突条部２０２よりも屋外側の部分との間の距離と略同じ長さのものである。
【００２６】
本実施形態では、バックアップ材４は、上下方向に長尺な帯板状であり、上下方向に直交する方向の断面形状が長方形状である。バックアップ材４は、屋外側を向く面（屋外側面４１）と、屋内側を向く面（屋内側面４０）とがそれぞれ平坦面であり、互いに平行である。また、バックアップ材４は、第一パネル１０１側を向く面（左の側端面４２）と、第二パネル１０２側を向く面（右の側端面４３）とがそれぞれ平坦面であり、互いに平行である。
【００２７】
バックアップ材４は、エチレン・プロピレン・ターポリマー（ＥＰＴ）発泡体や発泡ポリウレタンなどの樹脂成形品であり、屋外側面４１はシーリング材５が接着しにくい仕様となっている。例えば、バックアップ材４は、その屋外側面４１に、離型紙が貼り付けられている。
【００２８】
シーリング材５は、隣接する２枚のパネル１０１，１０２の間において、バックアップ材４よりも屋外側のスペースを上下方向に亘って埋める。シーリング材５は、変性シリコーン系、シリコーン系、ポリサルファイド系、ポリイソブチレン系などの樹脂材料のコーキング材である。
【００２９】
本実施形態の縦目地構造は、図３に示すように、２枚のパネル１０１，１０２の間のうち、両平坦部２４間のスペースに配される耐火部材６をさらに備える。耐火部材６は、上下方向に長い部材であり、両平坦部２４間のスペースを上下方向に亘って埋める。
【００３０】
耐火部材６は、耐火芯材６０と耐火被覆材６１と強化部材６２とを有する。耐火芯材６０は、石膏（石膏ボード）や珪酸カルシウムなどで形成された角棒状のものである。耐火被覆材６１は、ロックウールフェルトなどの繊維状無機材料を用いたフェルトである。強化部材６２は、鋼板等の金属板を平断面略Ｕ字状に折り曲げた形状のものである。強化部材６２は、耐火芯材６０の屋内側の面を覆うように耐火芯材６０に取り付けられ、耐火被覆材６１は、耐火芯材６０の左右の側面と屋外側の面とを覆うように耐火芯材６０に取り付けられている。
【００３１】
続いて、上述した図１に示す縦目地構造を形成するための縦目地の施工方法について説明する。縦目地の施工方法は、パネル１０１，１０２の配置工程と、バックアップ材４の挿入工程と、シーリング材５の充填工程の３つの工程を備える。
【００３２】
パネル１０１，１０２の配置工程では、２枚のパネル１０１，１０２を、突条部２０１，２０２がパッキン３０，３１を介して突き合うように配置する。例えば、２枚のパネル１０１，１０２は、その屋内側の面を、胴縁や下地板等の壁下地に当て、隣接する側端面同士を突き合わせることで、突条部２０１，２０２がパッキン３０，３１を介して突き合うように配置することができる。このように突き合わせた状態で、２枚のパネル１０１，１０２は、ねじ等の固定具で壁下地に固定する。
【００３３】
バックアップ材４の挿入工程では、２枚のパネル１０１，１０２の間に、屋外側からバックアップ材４を挿入して、バックアップ材４を突条部２０１，２０２の屋外側に配する。このとき、バックアップ材４は、その屋内側面４０の左右の端部を、突条部２０１，２０２の屋外側面２０に当てて配する。バックアップ材４は、両突条部２０１，２０２の屋外側面２０に、上下方向に亘って当たる。
【００３４】
シーリング材５の充填工程では、２枚のパネル１０１，１０２の間のうち、バックアップ材４の屋外側のスペースに、シーリング材５を充填する。
【００３５】
上述した３つの工程を順に行うことで、突条部２０１，２０２の間のスペースの屋内側の領域に、２つのパッキン３０，３１で構成されるパッキン３が配され、パッキン３とバックアップ材４との間には、排水用の隙間Ｓ１が形成される。排水用の隙間Ｓ１は、２枚のパネル１０１，１０２間に上下方向に亘って形成される。排水用の隙間Ｓ１の下端は、パネル１０１，１０２とその下方の基礎等との間の隙間を通じて、屋外側の空間と連通する。
【００３６】
以上のようにして形成される本実施形態の縦目地構造では、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００３７】
また、本実施形態の縦目地の施工方法では、突条部２０１，２０２の先端面２２の屋内側の部分にパッキン３０，３１が取り付けられたパネル１０１，１０２を用いることで、上述した３つの工程を順に行うだけで、排水用の隙間Ｓ１を簡単に形成することができる。
【００３８】
なお、上述した本実施形態の縦目地構造では、パネル１０１，１０２として、２枚の金属外皮１０，１１の間に芯材１２等を設けたパネルを用いたが、これに限定されない。パネル１０１，１０２は、互いに対向する側端面に突条部２０１，２０２を有するパネル体であればよく、例えばＡＬＣ板であってもよい。
【００３９】
続いて、図４に示す本発明の第二実施形態の縦目地構造について説明する。以下では、第一実施形態の縦目地構造と同様の構成については、図中に同一の符号を付して、詳しい説明を省略する。
【００４０】
第二実施形態の縦目地構造では、第一パネル１０１は、第一突条部２０１の屋外側面２０に、バックアップ材４に当たる凹凸面７を有し、第二パネル１０２は、第二突条部２０２の屋外側面２０に、バックアップ材４に当たる凹凸面７を有する。
【００４１】
本実施形態では、各突条部２０１，２０２において、凹凸面７のうち凹んだ部分７０は、屋外側面２０のうちの左右方向の中央部に位置する。そして、各突条部２０１，２０２において、凹凸面７のうち突出した部分７１は、屋外側面２０のうちの左右方向の両端部に位置する。つまり、本実施形態の縦目地構造では、第一突条部２０１と第二突条部２０２のそれぞれを、その屋外側面２０のうちの左右方向の中央部が屋内側に凹んだ形状となるように設けている。
【００４２】
パネル１０１，１０２は、第一実施形態と同様に、サンドイッチパネルやＡＬＣ板等である。
【００４３】
パネル１０１，１０２がサンドイッチパネルである場合、各突条部２０１，２０２の凹凸面７は、例えば、金属板をロール成形加工やプレス加工などで所望の形状に成形するときに形成される。なお、各突条部２０１，２０２の凹凸面７は、各突条部２０１，２０２を成形した後で、各突条部２０１，２０２の屋外側面２０を加工することで、形成されてもよい。
【００４４】
パネル１０１，１０２がＡＬＣ板等である場合、例えば、各パネル１０１，１０２を、各突条部２０１，２０２に凹凸面７を有する形状に成形する。なお、各突条部２０１，２０２の凹凸面７は、各パネル１０１，１０２を成形した後で、各突条部２０１，２０２の屋外側面２０を加工（切除加工等）することで、形成されてもよい。
【００４５】
凹凸面７の形成は、パネル１０１，１０２の製造工場や加工工場にて行われる。そのため、施工現場には、第一突条部２０１の屋外側面２０に凹凸面７を有する第一パネル１０１と、第二突条部２０２の屋外側面２０に凹凸面７を有する第二パネル１０２が供給される。
【００４６】
続いて、図４に示す縦目地構造を形成するための縦目地の施工方法について説明する。本実施形態の縦目地の施工方法は、上述した第一実施形態の縦目地の施工方法と同様に、パネル１０１，１０２の配置工程と、バックアップ材４の挿入工程と、シーリング材５の充填工程の３つの工程を備える。
【００４７】
本実施形態では、バックアップ材４の挿入工程において、バックアップ材４を突条部２０１，２０２の屋外側面２０に当てて配したときに、バックアップ材４が突条部２０１，２０２の屋外側面２０の凹凸面７のうち突出した部分７１に当たって位置する。これにより、第一突条部２０１の屋外側面２０の凹凸面７の凹んだ部分７０とバックアップ材４との間と、第二突条部２０２の屋外側面２０の凹凸面７の凹んだ部分７０とバックアップ材４との間にそれぞれ、排水用の隙間Ｓ１が形成される。また、本実施形態では、バックアップ材４とパッキン３との間にも、排水用の隙間Ｓ１が形成される。これら３つの排水用の隙間Ｓ１はそれぞれ、２枚のパネル１０１，１０２間に上下方向に亘って形成される。これらの３つの排水用の隙間Ｓ１の下端はそれぞれ、パネル１０１，１０２とその下方の基礎等との間の隙間を通じて、屋外側の空間と連通する。
【００４８】
以上のようにして形成される本実施形態の縦目地構造においても、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００４９】
また、本実施形態の縦目地構造では、バックアップ材４と各突条部２０１，２０２との間の排水用の隙間Ｓ１を通じて排水を行うことで、バックアップ材４の側方から浸入した雨水がパッキン３に接触することを抑制でき、パッキン３の劣化を抑えることができる。
【００５０】
また、本実施形態の縦目地の施工方法では、突条部２０１，２０２の屋外側面２０に凹凸面７が設けられたパネル１０１，１０２を用いることで、上述した３つの工程を順に行うだけで、排水用の隙間Ｓ１を簡単に形成することができる。
【００５１】
なお、上述した本実施形態の縦目地構造は、バックアップ材４と第一突条部２０１の間と、バックアップ材４と第二突条部２０２の間のうち、一方だけに排水用の隙間Ｓ１が形成されるものであってもよい。
【００５２】
また、上述した本実施形態の縦目地構造は、バックアップ材４とパッキン３との間には、排水用の隙間Ｓ１が形成されなくてもよい。つまり、パッキン３は、突条部２０１，２０２の間のスペースの全体に位置してもよい。
【００５３】
続いて、図５に示す本発明の第三実施形態の縦目地構造について説明する。以下では、第二実施形態の縦目地構造と同様の構成については、図中に同一の符号を付して、詳しい説明を省略する。
【００５４】
第三実施形態の縦目地構造では、各突条部２０１，２０２において、凹凸面７のうち突出した部分７１は、屋外側面２０のうちの左右方向の中央部に位置する。そして、各突条部２０１，２０２において、凹凸面７のうち凹んだ部分７０は、屋外側面２０のうちの左右方向の両端部に位置する。つまり、本実施形態の縦目地構造では、突条部２０１，２０２のそれぞれを、その屋外側面２０のうちの左右方向の中央部が屋外側に突出した形状となるように設けている。
【００５５】
本実施形態の縦目地構造では、パッキン３は、突条部２０１，２０２の間のスペースの全体に位置する。パッキン３は、その屋外側を向く面が、凹凸面７のうちの凹んだ部分７０と略面一となる。
【００５６】
なお、図５に示す縦目地構造を形成するための縦目地の施工方法については、上述した第二実施形態の縦目地の施工方法と同様であるため、説明を省略する。
【００５７】
本実施形態の縦目地構造では、第一突条部２０１とバックアップ材４との間と、第二突条部２０２とバックアップ材４との間のそれぞれにおいて、凹凸面７のうちの突出した部分７１の左右両側に、排水用の隙間Ｓ１が形成される。各排水用の隙間Ｓ１は、２枚のパネル１０１，１０２間に上下方向に亘って形成される。各排水用の隙間Ｓ１の下端は、パネル１０１，１０２とその下方の基礎等との間の隙間を通じて、屋外側の空間と連通する。
【００５８】
第一突条部２０１とバックアップ材４との間の２つの排水用の隙間Ｓ１のうちの右側に位置する排水用の隙間Ｓ１と、バックアップ材４とパッキン３との間の排水用の隙間Ｓ１と、第二突条部２０２とバックアップ材４との間の２つの排水用の隙間Ｓ１のうちの左側に位置する排水用の隙間Ｓ１とは、連通している。
【００５９】
以上説明した本実施形態の縦目地構造においても、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００６０】
また、本実施形態の縦目地構造では、バックアップ材４と第一突条部２０１との間の左側の排水用の隙間Ｓ１と、バックアップ材４と第二突条部２０２との間の右側の排水用の隙間Ｓ１のそれぞれを通じて排水を行うことで、バックアップ材４の側方から浸入した雨水がパッキン３に接触することを抑制でき、パッキン３の劣化を抑えることができる。
【００６１】
なお、本実施形態の縦目地構造は、バックアップ材４と第一突条部２０１の間と，バックアップ材４と第二突条部２０２の間のうち、一方だけに排水用の隙間Ｓ１が形成されるものであってもよい。
【００６２】
また、上述した本実施形態の縦目地構造は、バックアップ材４とパッキン３との間には、排水用の隙間Ｓ１が形成されなくてもよい。この場合、パッキン３は、突条部２０１，２０２の間のスペースから、バックアップ材４に当たる位置まで屋外側に突出するように配される。
【００６３】
また、本実施形態の縦目地構造は、パッキン３を、突条部２０１，２０２の間のスペースのうち屋内側の領域だけに位置するように設けたものであってもよい。
【００６４】
続いて、図６に示す本発明の第四実施形態の縦目地構造について説明する。以下では、第二実施形態の縦目地構造と同様の構成については、図中に同一の符号を付して、詳しい説明を省略する。
【００６５】
第四実施形態の縦目地構造においては、第一突条部２０１の凹凸面７のうちの凹んだ部分７０は、第一突条部２０１の屋外側面２０のうちの左端部に位置する。そして、第一突条部２０１の凹凸面７のうちの突出した部分７１は、第一突条部２０１の屋外側面２０のうちの残りの部分全体に位置する。そして、第二突条部２０２の凹凸面７のうち凹んだ部分７０は、第二突条部２０２の屋外側面２０のうちの右端部に位置する。そして、第二突条部２０２の凹凸面７のうちの突出した部分７１は、第二突条部２０２の屋外側面２０のうちの残りの部分全体に位置する。つまり、本実施形態の縦目地構造では、突条部２０１，２０２のそれぞれを、その屋外側面２０のうちの左右方向内側の端部が屋内側に凹んだ形状となるように設けている。
【００６６】
本実施形態の縦目地構造では、パッキン３は、突条部２０１，２０２の間のスペースの全体に位置する。つまり、パッキン３０，３１は、突条部２０１，２０２の先端面２２の全体に接着されている。パッキン３は、その屋外側面が、各突条部２０１，２０２の凹凸面７の突出した部分７１と略面一となる。
【００６７】
なお、図６に示す縦目地構造を形成するための縦目地の施工方法については、上述した第二実施形態の縦目地の施工方法と同様であるため、説明を省略する。
【００６８】
以上説明した本実施形態の縦目地構造では、バックアップ材４と突条部２０１，２０２との間のうち、バックアップ材４の左右の端部の屋内側にそれぞれ、排水用の隙間Ｓ１が形成される。
【００６９】
そのため、本実施形態の縦目地構造では、バックアップ材４の側方から浸入した雨水を、この浸入箇所に隣接する位置にある排水用の隙間Ｓ１を通じて排水することができ、浸入した雨水がパッキン３に至りにくくなっている。
【００７０】
なお、上述した本実施形態の縦目地構造は、バックアップ材４と第一突条部２０１の間と、バックアップ材４と第二突条部２０２の間のうち、一方だけに、排水用の隙間Ｓ１が形成されるものであってもよい。
【００７１】
また、上述した本実施形態の縦目地構造は、バックアップ材４とパッキン３の間にも、排水用の隙間Ｓ１が形成されてもよい。この場合、パッキン３は、突条部２０１，２０２の間のスペースのうち屋内側の領域だけに位置するように設けられる。
【００７２】
続いて、図７に示す本発明の第五実施形態の縦目地構造について説明する。以下では、第一実施形態の縦目地構造と同様の構成については、図中に同一の符号を付して、詳しい説明を省略する。
【００７３】
第五実施形態の縦目地構造では、バックアップ材４は、その屋内側面４０に凹凸面４４を有する。本実施形態では、屋内側面４０のうちの左右方向の両端部がそれぞれ、屋外側に凹んでいる。つまり、屋内側面４０のうちの左右方向の両端部のそれぞれが、凹凸面４４のうち凹んだ部分４５であり、屋内側面４０のうちの残りの部分全体が、凹凸面４４のうち突出した部分４６である。
【００７４】
本実施形態の縦目地構造では、パッキン３は、突条部２０１，２０２の間のスペースの全体に位置する。パッキン３は、その屋外側を向く面が、突条部２０１，２０２の屋外側面２０と略面一となる。
【００７５】
屋内側面４０に凹凸面４４を有するバックアップ材４は、例えば、断面長方形の帯板状に成形した後で、屋内側面４０を加工（切断加工等）することで形成される。なお、バックアップ材４は、例えば、屋内側面４０に凹凸面４４を有する形状で成形されるものであってもよい。
【００７６】
凹凸面４４の形成は、バックアップ材４の製造工場や加工工場で行われ、施工現場には、屋内側面４０に凹凸面４４を有するバックアップ材４が供給される。なお、バックアップ材４は加工しやすいため、凹凸面４４の形成は、施工現場で行ってもよい。
【００７７】
続いて、図７に示す縦目地構造を形成するための縦目地の施工方法について説明する。本実施形態の縦目地の施工方法は、上述した第一実施形態の縦目地の施工方法と同様に、パネル１０１，１０２の配置工程と、バックアップ材４の挿入工程と、シーリング材５の充填工程の３つの工程を備える。
【００７８】
本実施形態では、バックアップ材４の挿入工程において、バックアップ材４の凹凸面４４のうちの突出した部分４６が、第一突条部２０１の屋外側面２０の右端部と、第二突条部２０２の屋外側面２０の左端部と、パッキン３とに当たって位置する。これにより、バックアップ材４の凹凸面４４の凹んだ部分４５と突条部２０１，２０２それぞれの屋外側面２０との間に、排水用の隙間Ｓ１が形成される。排水用の隙間Ｓ１は、バックアップ材４と突条部２０１，２０２それぞれとの間の領域のうち、左右方向外側の端部に位置する。２つの排水用の隙間Ｓ１はそれぞれ、２枚のパネル１０１，１０２間に上下方向に亘って形成され、２つの排水用の隙間Ｓ１の下端はそれぞれ、パネル１０１，１０２とその下方の基礎等との間の隙間を通じて、屋外側の空間と連通する。
【００７９】
以上のようにして形成される本実施形態の縦目地構造においても、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００８０】
また、本実施形態の縦目地構造では、バックアップ材４と突条部２０１，２０２との間のうち、バックアップ材４の左右の端部の屋内側にそれぞれ、排水用の隙間Ｓ１が形成される。そのため、本実施形態の縦目地構造では、バックアップ材４の側方から浸入した雨水を、この浸入箇所に隣接する位置にある排水用の隙間Ｓ１を通じて排水することができ、浸入した雨水がパッキン３に至りにくくなっている。
【００８１】
なお、上述した本実施形態の縦目地構造は、バックアップ材４が、屋内側面４０のうち左右一方の端部にのみ凹んだ部分４５を有するものであってもよい。
【００８２】
また、上述した本実施形態の縦目地構造は、パッキン３が、突条部２０１，２０２の間のスペースのうち屋内側の領域に位置するものであってもよい。
【００８３】
続いて、図８に示す本発明の第六実施形態の縦目地構造について説明する。以下では、第五実施形態の縦目地構造と同様の構成については、図中に同一の符号を付して、詳しい説明を省略する。
【００８４】
第六実施形態の縦目地構造では、バックアップ材４は、屋内側面４０のうちの左右方向の中央部が、屋外側に凹んでいる。つまり、屋内側面４０のうちの左右方向の中央部が、凹凸面４４のうち凹んだ部分４５であり、屋内側面４０のうちの残りの部分（左右方向の両端部）が、凹凸面４４のうち突出した部分４６である。
【００８５】
なお、図８に示す縦目地構造を形成するための縦目地の施工方法については、上述した第五実施形態の縦目地の施工方法と同様であるため、説明を省略する。
【００８６】
本実施形態では、バックアップ材４の挿入工程において、バックアップ材４の凹凸面４４のうちの突出した部分４６が、第一突条部２０１の屋外側面２０のうちの左端部と、第二突条部２０２の屋外側面２０のうちの右端部とに当たって位置する。これにより、バックアップ材４の凹凸面４４の凹んだ部分４５とパッキン３との間と、凹んだ部分４５と第一突条部２０１の右端部との間と、凹んだ部分４５と第二突条部２０２の左端部との間のそれぞれに、排水用の隙間Ｓ１が形成される。各排水用の隙間Ｓ１は、２枚のパネル１０１，１０２間に上下方向に亘って形成される。各排水用の隙間Ｓ１の下端は、パネル１０１，１０２とその下方の基礎等との間の隙間を通じて、屋外側の空間と連通する。バックアップ材４とパッキン３との間に形成される排水用の隙間Ｓ１と、バックアップ材４と突条部２０１，２０２それぞれとの間に形成される排水用の隙間Ｓ１とは連通している。
【００８７】
以上説明した本実施形態の縦目地構造においても、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００８８】
なお、上述した本実施形態の縦目地構造は、パッキン３が、突条部２０１，２０２の間のスペースの屋内側の領域にのみ位置するものであってもよい。
【００８９】
続いて、図９に示す本発明の第七実施形態の縦目地構造について説明する。以下では、第一実施形態の縦目地構造と同様の構成については、図中に同一の符号を付して、詳しい説明を省略する。
【００９０】
第七実施形態の縦目地構造では、バックアップ材４と第一突条部２０１の間の領域と、バックアップ材４と第二突条部２０２の間の領域にそれぞれ、排水用の隙間Ｓ１を形成するためのスペーサー８が位置する。各スペーサー８は、上下方向を長手方向とする部材であり、例えば、タコ糸である。各スペーサー８は、前述の領域の左右方向の一部に上下方向に亘って位置する。
【００９１】
なお、本実施形態の縦目地構造では、バックアップ材４は、上下方向に直交する方向の断面形状が長方形状であり、屋外側面４１と屋内側面４０とが平坦面で、互いに平行である。パッキン３は、突条部２０１，２０２の間のスペースの全体に位置するものである。
【００９２】
本実施形態の縦目地構造では、バックアップ材４は、スペーサー８を介在させることで、パッキン３及び突条部２０１，２０２からスペーサー８の厚み分だけ離れて位置する。これにより、本実施形態の縦目地構造では、バックアップ材４とパッキン３との間の領域と、バックアップ材４と第一突条部２０１との間の領域と、バックアップ材４と第二突条部２０２との間の領域のそれぞれに、排水用の隙間Ｓ１が形成される。
【００９３】
続いて、図９に示す縦目地構造を形成するための縦目地の施工方法について説明する。本実施形態の縦目地の施工方法は、上述したパネル１０１，１０２の配置工程と、バックアップ材４の挿入工程と、シーリング材５の充填工程の３つの工程に加えて、スペーサー８の配置工程を含む。
【００９４】
スペーサー８の配置工程では、第一突条部２０１とバックアップ材４との間の領域と、第二突条部２０２とバックアップ材４との間の領域にそれぞれ、スペーサー８を配置する。スペーサー８の配置は、例えば、第一突条部２０１の屋外側面２０のうちの左右方向の一部と、第二突条部２０２の屋外側面２０のうちの左右方向の一部にそれぞれ、スペーサー８を接着などにより取り付けることで行う。なお、スペーサー８の配置は、バックアップ材４の屋内側面４０にスペーサー８を接着などにより取り付けることで行ってもよい。また、スペーサー８の配置は、接着などによる取り付けではなく、突条部２０１，２０２とバックアップ材４の間にスペーサー８を挟み込むことで行ってもよい。
【００９５】
上述のスペーサー８の配置工程を含むことで、バックアップ材４はスペーサー８を介して突条部２０１，２０２の屋外側に配される。これにより、バックアップ材４とパッキン３との間と、バックアップ材４と第一突条部２０１との間と、バックアップ材４と第二突条部２０２との間のそれぞれに、排水用の隙間Ｓ１が形成される。各排水用の隙間Ｓ１の下端は、パネル１０１，１０２とその下方の基礎等との間の隙間を通じて、屋外側の空間と連通する。
【００９６】
本実施形態では、第一突条部２０１とバックアップ材４との間と、第二突条部２０２とバックアップ材４との間には、スペーサー８の左右にそれぞれ排水用の隙間Ｓ１が形成される。バックアップ材４と第一突条部２０１との間の２つの排水用の隙間Ｓ１のうち右側の排水用の隙間Ｓ１と、バックアップ材４と第二突条部２０２との間の２つの排水用の隙間Ｓ１のうち左側の排水用の隙間Ｓ１と、バックアップ材４とパッキン３との間の排水用の隙間Ｓ１とは、連通している。
【００９７】
以上のようにして形成される本実施形態の縦目地構造においても、シーリング材５とパネル１０１，１０２との間に生じた隙間を通じて浸入した雨水を、排水用の隙間Ｓ１を通じて下方へ流して、パネル１０１，１０２の屋外側へと排水することができる。
【００９８】
また、本実施形態の縦目地構造では、バックアップ材４と第一突条部２０１との間の左側の排水用の隙間Ｓ１と、バックアップ材４と第二突条部２０２との間の右側の排水用の隙間Ｓ１を通じて排水することができ、バックアップ材４の側方から浸入した雨水がパッキン３に至りにくくなっている。
【００９９】
なお、上述した本実施形態の縦目地構造は、スペーサー８が、第一突条部２０１と第二突条部２０２のうちの一方とバックアップ材４との間に位置するものであってもよい。また、スペーサー８は、パッキン３とバックアップ材４との間に位置するものであってもよい。つまり、スペーサー８は、バックアップ材４とパッキン３との間と、バックアップ材４と第一突条部２０１との間と、バックアップ材４と第二突条部２０２の間のうち、少なくとも１つに、位置するものであればよい。
【０１００】
また、上述した本実施形態の縦目地構造は、パッキン３が、突条部２０１，２０２の間のスペースの屋内側の領域に位置するものであってもよい。この場合、スペーサー８は、突条部２０１，２０２の少なくとも一方とバックアップ材４との間に配される。
【０１０１】
以上、添付図面に基づいて説明したように、本発明の第一乃至第七実施形態の縦目地構造は、下記の構成を備えることを特徴とする。
【０１０２】
すなわち、第一乃至第七実施形態の縦目地構造は、隣接する第一パネル１０１と第二パネル１０２の間に形成される縦目地構造である。第一パネル１０１は、第二パネル１０２に対向する側端面に、上下方向を長手方向とする第一突条部２０１を有する。第二パネル１０２は、第一パネル１０１に対向する側端面に、上下方向を長手方向とする第二突条部２０２を有する。第一パネル１０１と第二パネル１０２の間には、第一突条部２０１と第二突条部２０２の間のスペースに配されるパッキン３と、第一突条部２０１と第二突条部２０２の屋外側に配されるバックアップ材４と、バックアップ材４よりも屋外側のスペースを埋めるシーリング材５とを備える。第一乃至第七実施形態の縦目地構造は、パッキン３とバックアップ材４の間の領域と、第一突条部２０１とバックアップ材４の間の領域と、第二突条部２０２とバックアップ材４の間の領域のうち、少なくとも１つに、排水用の隙間Ｓ１を形成している。
【０１０３】
上記の構成を備えることで、第一乃至第七実施形態の縦目地構造では、経年劣化等によりシーリング材５とパネル１０１，１０２との間に生じる隙間を通じて浸入した雨水を、バックアップ材４の屋内側に形成した排水用の隙間Ｓ１を通じて円滑に排水することができる。
【０１０４】
さらに、本発明の第一乃至第七実施形態の縦目地構造は、上記の構成に加えて、下記の構成を付加的に備える。
【０１０５】
すなわち、第一乃至第七実施形態の縦目地構造では、パッキン３は、第一突条部２０１と第二突条部２０２の間のスペースのうち屋内側の領域に位置し、パッキン３とバックアップ材４との間に、排水用の隙間Ｓ１が形成されている。
【０１０６】
上記の付加的な構成を備えることで、第一乃至第七実施形態の縦目地構造では、シーリング材５とパネル１０１，１０２との間に生じる隙間を通じて浸入した雨水を、パッキン３とバックアップ材４との間に形成される排水用の隙間Ｓ１を通じて円滑に排水することができる。
【０１０７】
また、本発明の第二乃至第四実施形態の縦目地構造では、上記の構成に加えて、下記の構成を付加的に備える。
【０１０８】
すなわち、第二乃至第四実施形態の縦目地構造では、第一突条部２０１と第二突条部２０２のうち少なくとも一方は、その屋外側面２０に、バックアップ材４に当たる凹凸面７を有する。第二乃至第四実施形態の縦目地構造では、凹凸面７のうち凹んだ部分７０とバックアップ材４との間に、排水用の隙間Ｓ１が形成されている。
【０１０９】
上記の付加的な構成を備えることで、第二乃至第四実施形態の縦目地構造では、シーリング材５とパネル１０１，１０２との間に生じる隙間を通じて浸入した雨水を、突条部２０１，２０２の屋外側面２０の凹凸面７のうち凹んだ部分７０とバックアップ材４との間に形成される排水用の隙間Ｓ１を通じて、円滑に排水することができる。
【０１１０】
また、本発明の第五及び第六実施形態の縦目地構造では、上記の構成に加えて、下記の構成を付加的に備える。
【０１１１】
すなわち、第五及び第六実施形態の縦目地構造では、バックアップ材４は、第一突条部２０１と第二突条部２０２に当たる屋内側面４０に、凹凸面４４を有し、パッキン３と第一突条部２０１と第二突条部２０２のうちの少なくとも１つと、凹凸面４４の凹んだ部分４５との間に、排水用の隙間Ｓ１が形成されている。
【０１１２】
上記の付加的な構成を備えることで、第五及び第六実施形態の縦目地構造では、シーリング材５とパネル１０１，１０２との間に生じる隙間を通じて浸入した雨水を、バックアップ材４の屋内側面４０の凹凸面４４の凹んだ部分４５と、パッキン３と第一突条部２０１と第二突条部２０２のうちの少なくとも１つとの間に形成される排水用の隙間Ｓ１を通じて、円滑に排水することができる。
【０１１３】
また、本発明の第七実施形態の縦目地構造では、上記の構成に加えて、下記の構成を付加的に備える。
【０１１４】
すなわち、第七実施形態の縦目地構造では、パッキン３とバックアップ材４の間の領域と、第一突条部２０１とバックアップ材４の間の領域と、第二突条部２０２とバックアップ材４の間の領域のうち、少なくとも一つに、排水用の隙間Ｓ１を形成するためのスペーサー８が位置する。
【０１１５】
上記の付加的な構成を備えることで、第七実施形態の縦目地構造では、シーリング材５とパネル１０１，１０２との間に生じる隙間を通じて浸入した雨水を、スペーサー８が介在することで形成される排水用の隙間Ｓ１を通じて、円滑に排水することができる。
【０１１６】
また、本発明の第一乃至第七実施形態の縦目地の施工方法は、下記の構成を備えることを特徴とする。
【０１１７】
すなわち、第一乃至第七実施形態の縦目地の施工方法は、上下方向を長手方向とする第一突条部２０１を側端面に有する第一パネル１０１と、上下方向を長手方向とする第二突条部２０２を側端面に有する第二パネル１０２とを、第一突条部２０１と第二突条部２０２とがパッキン３を介して突き合ように配置し、第一突条部２０１と第二突条部２０２の屋外側にバックアップ材４を配し、バックアップ材４の屋外側のスペースにシーリング材５を充填する縦目地の施工方法である。この施工方法では、パッキン３とバックアップ材４の間の領域と、第一突条部２０１とバックアップ材４の間の領域と、第二突条部２０２とバックアップ材４の間の領域のうち、少なくとも一つに、排水用の隙間Ｓ１を形成する。
【０１１８】
上記の構成のように、第一乃至第七実施形態の縦目地の施工方法では、パッキン３と第一突条部２０１と第二突条部２０２のうち少なくとも１つとバックアップ材４との間の領域に、排水用の隙間Ｓ１を形成することで、シーリング材５とパネル１０１，１０２との間に生じる隙間を通じて浸入した雨水を、この排水用の隙間Ｓ１を通じて円滑に排水することができる。
【０１１９】
さらに、本発明の第一乃至第七実施形態の縦目地の施工方法は、上記の構成に加えて、下記の構成を付加的に備える。
【０１２０】
すなわち、第一乃至第七実施形態の縦目地の施工方法では、パッキン３は、第一突条部２０１の先端面２２の屋内側の部分に予め接着された第一パッキン３０と、第二突条部２０２の先端面２２の屋内側の部分に予め接着された第二パッキン３１とを組み合せたものであるか、第一突条部２０１または第二突条部２０２の先端面２２の屋内側の部分に予め接着されたものである。第一乃至第七実施形態の縦目地の施工方法では、第一突条部２０１と第二突条部２０２の間のスペースのうち屋内側の領域にパッキン３が位置することで、バックアップ材４とパッキン３との間に、排水用の隙間Ｓ１が形成される。
【０１２１】
上記の付加的な構成のように、第一乃至第七実施形態の縦目地の施工方法では、パッキン３が第一突条部２０１や第二突条部２０２の先端面２２の屋内側の部分に予め接着されたものであるため、突条部２０１，２０２を突き合わせるだけで、パッキン３を突条部２０１，２０２間のスペースのうち屋内側の領域に位置させることができる。つまり、第一乃至第七実施形態の縦目地の施工方法は、パッキン３を介して突条部２０１，２０２を突き合わせてパネル１０１，１０２を配置する配置工程と、バックアップ材４を挿入する挿入工程と、シーリング材５の充填する充填工程といった従来と同様の３つの工程で施工するだけで、パッキン３とバックアップ材４との間に、排水用の隙間Ｓ１を簡単に形成することができる。
【０１２２】
また、本発明の第二乃至第四実施形態の縦目地の施工方法は、上記の構成に加えて、下記の構成を付加的に備える。
【０１２３】
すなわち、第二乃至第四実施形態の縦目地の施工方法では、第一突条部２０１と第二突条部２０２のうち少なくとも一方は、その屋外側面２０に凹凸面７を有するものである。第二乃至第四実施形態の縦目地の施工方法では、凹凸面７にバックアップ材４を当てて配することで、凹凸面７の凹んだ部分７０とバックアップ材４との間に、排水用の隙間Ｓ１が形成される。
【０１２４】
上記の付加的な構成のように、第二乃至第四実施形態の縦目地の施工方法では、第一突条部２０１や第二突条部２０２が屋外側面２０に凹凸面７を有するものであるため、突条部２０１，２０２の屋外側にバックアップ材４を配するだけで、バックアップ材４と突条部２０１，２０２の間に、排水用の隙間Ｓ１を形成することができる。つまり、第二乃至第四実施形態の縦目地の施工方法では、従来と同様の、配置工程と挿入工程と充填工程といった３つの工程で施工するだけで、バックアップ材４と突条部２０１，２０２の間に、排水用の隙間Ｓ１を簡単に形成することができる。
【０１２５】
また、本発明の第五及び第六実施形態の縦目地の施工方法は、上記の構成に加えて、下記の構成を付加的に備える。
【０１２６】
すなわち、第五及び第六実施形態の縦目地の施工方法では、バックアップ材４は、その屋内側面４０に凹凸面４４を有するものであり、第一突条部２０１と第二突条部２０２にバックアップ材４を当てて配することで、第一突条部２０１と第二突条部２０２とパッキン３のうちの少なくとも１つと、凹凸面４４の凹んだ部分４５との間に、排水用の隙間Ｓ１が形成される。
【０１２７】
上記の付加的な構成のように、第五及び第六実施形態の縦目地の施工方法では、バックアップ材４は、その屋内側面４０に凹凸面４４を有するものであるため、突条部２０１，２０２にバックアップ材４を当てて配するだけで、バックアップ材４の屋内側に、排水用の隙間Ｓ１を形成することができる。つまり、第五及び第六実施形態の縦目地の施工方法では、従来と同様の、上述の配置工程と挿入工程と充填工程といった３つの工程で施工するだけで、バックアップ材４の屋内側に、排水用の隙間Ｓ１を簡単に形成することができる。
【０１２８】
また、本発明の第七実施形態の縦目地の施工方法は、上記の構成に加えて、下記の構成を付加的に備える。
【０１２９】
すなわち、第七実施形態の縦目地の施工方法では、第一突条部２０１と第二突条部２０２とパッキン３のうち少なくとも１つとバックアップ材４との間にスペーサー８を配することで、排水用の隙間Ｓ１が形成される。
【０１３０】
上記の付加的な構成のように、第七実施形態の縦目地の施工方法では、スペーサー８を介在させる工程を追加するだけで、排水用の隙間Ｓ１を形成することができる。そのため、第七実施形態の縦目地の施工方法では、凹凸面７を有する突条部２０１，２０２や、凹凸面４４を有するバックアップ材４を用いる必要がなくて、排水用の隙間Ｓ１の形成を簡単に行うことができる。
【０１３１】
以上、本発明を添付図面に示す実施形態に基づいて説明したが、本発明は上記の実施形態に限定されるものではなく、本発明の意図する範囲内であれば、適宜の設計変更が可能である。
【符号の説明】
【０１３２】
３      パッキン
４      バックアップ材
５      シーリング材
７      凹凸面
８      スペーサー
２０    屋外側面
４０    屋内側面
４４    凹凸面
４５    凹んだ部分
７０    凹んだ部分
１０１  第一パネル
１０２  第二パネル
２０１  第一突条部
２０２  第二突条部
Ｓ１    隙間
【図１】
0006535207.tif 000002
【図２】
0006535207.tif 000003
【図３】
0006535207.tif 000004
【図４】
0006535207.tif 000005
【図５】
0006535207.tif 000006
【図６】
0006535207.tif 000007
【図７】
0006535207.tif 000008
【図８】
0006535207.tif 000009
【図９】
0006535207.tif 000010